(57)【要約】【課題】収納袋をザック本体外部の任意の位置に取り付けることを可能とし、取り付けた位置から収納袋の位置を動かすことなく、ザックカバーを取り出しザックに被せることができるザックカバーの収納袋を提供することを目的とする。【解決手段】ザックカバーの収納袋１は、第一ベルト部４によってザック本体２０と着脱自在であり、さらに前記収納袋１は第二ベルト部５によってザックカバー１０と着脱自在であり、ザック本体２０外側の所定の個所に前記第一ベルト部４を用いて前記収納袋１を取り付け、前記収納袋１を取り付けた位置からザックカバー１０をザック本体２０に被せることが可能となるように、前記収納袋１とザックカバー１０とを一体化する位置を前記第二ベルト部５によって調整可能としたことを特徴とするザックカバーの収納袋１である。【選択図】  図４
2004275237.tif 000002
【特許請求の範囲】
【請求項１】
ザックカバーの収納袋（１）であって、前記収納袋（１）は第一ベルト部（４）によってザック本体と着脱自在であり、さらに前記収納袋（１）は第二ベルト部（５）によってザックカバーと着脱自在であり、
ザック本体外側の所定の個所に前記第一ベルト部（４）を用いて前記収納袋（１）を取り付け、前記収納袋（１）を取り付けた位置からザックカバーをザック本体に被せることが可能となるように、前記収納袋（１）とザックカバーとを一体化する位置を前記第二ベルト部（５）によって調整可能としたことを特徴とするザックカバーの収納袋。
【発明の詳細な説明】
【０００１】
【発明の属する技術分野】
本発明は、登山やトレッキング等においてザックやデイパックに被せて使用するザックカバーの収納袋に関するものである。
【０００２】
【従来の技術】
従来より、ザックカバーに関しては、（特許文献１）や（特許文献２）に見られるように、雨水の浸入防止やザックカバーの装着作業の簡素化等を目的として種々の改良が重ねられている。
【０００３】
【特許文献１】
登録実用新案公報第３０２８２２５号公報
【特許文献２】
特開２００２−１６５６３８号公報
【０００４】
前記のザックカバーは一般に収納袋付きにて販売されている。その収納袋に注目してみると、上方部をロープ等にて絞る巾着タイプや面ファスナーにて閉じるタイプが一般的である。さらにこの収納袋とザックカバーとは一般的に縫製されていることが多い。
【０００５】
これらザックカバーとその収納袋は通常の歩行時等は、ザック中に収納されており、雨天時などにザックカバーを使用する際に取り出すことになる。しかしながら、取り出しに手間がかかってしまった場合などは、装着作業の間にザックが濡れてしまうという不具合があった。
【０００６】
【発明が解決しようとする課題】
そこで本発明は、かかる従来の不具合に着目して発明されたもので、収納袋をザック本体外部の任意の位置に取り付けることを可能とし、取り付けた位置から収納袋の位置を動かすことなく、ザックカバーを取り出しザックに被せることができるザックカバーの収納袋を提供することを目的とする。
【０００７】
【課題を解決する手段】
本発明に係るザックカバーの収納袋は、第一ベルト部によってザック本体と着脱自在であり、さらに前記収納袋は第二ベルト部によってザックカバーと着脱自在であり、ザック本体外側の所定の個所に前記第一ベルト部を用いて前記収納袋を取り付け、前記収納袋を取り付けた位置からザックカバーをザック本体に被せることが可能となるように、前記収納袋とザックカバーとを一体化する位置を前記第二ベルト部によって調整可能としたことを特徴とするザックカバーの収納袋である。
【０００８】
【発明の実施の形態】
まず、本発明の収納袋に適したザックカバーについて図２を用いて説明する。（なお図２は前記特許文献２の図１に基づいている。）ザックカバー１０は口枠周縁１１に紐通し部１２を有しており伸縮紐１３を通している。ザックの大きさに応じて口枠周辺１１を均等にかつ確実に締め付けることが可能なように、伸縮紐１３には係止具１４と掛け止め具１５が取り付けられ、口枠周縁１１にはそれらを掛け止めるための掛け止め部１６が設けられている。掛け止め部１６を設ける位置は任意であって良いが、図２に示したように口枠周縁１１の上部、両側部及び下部に複数個設けることが好ましい。
【０００９】
次に図１を用いて本発明に係るザックカバーの収納袋１を説明する。図１に示す実施例では、収納袋１は縫製によって一体化された円柱状の袋本体２に、ファスナーによる開口部３を設けている。袋本体の形状は、図１のような円柱状に限定されるものではなく任意の形状が可能である。開口部にはファスナー以外にも面ファスナー、ボタン、スナップ等を用いてもよいし巾着状としてもよい。袋本体を一体化する手段は縫製以外にも、接着、接着、熱圧着、熱融着等が可能である。袋本体を構成する素材は本実施例ではナイロンを用いたが特に限定されるものではなく、その他のナイロン系素材やポリエステル系素材等の各種素材を用いることができる。また必要に応じて表裏別々の素材を組み合わせて用いることも可能である。
【００１０】
収納袋１には第一ベルト部４が設けられている。第一ベルト部４はベルト部分４ａと着脱用の取り付け具４ｂとを有する。取り付け具としては面ファスナー、ボタン、スナップ等、着脱自在とするものであれば特に限定されるものではない。また取り付け具４ｂはベルト部分４ａの長さ調整が可能なものが好ましい。ベルト部分４ａの幅は任意であってよいが１０ｍｍ〜５０ｍｍ程度が好ましい。またベルト部分４ａを構成する素材については、本実施例ではナイロンを用いたがこれに限定されるものではなく、ポリエステル、ポリプロピレン、綿及びこれらの複合材料等を用いることができる。
【００１１】
ザック本体外側にあるストラップやベルトに前記のベルト部分４ａを通し、取り付け具４ｂによって固定することで、収納袋をザック本体の上部、側部、下部等の所定の個所に取り付ける。こうすれば収納袋はザック本体の外側に取り付けられるので、ザックカバーを使用する際にザック本体中から収納袋を探して取り出す手間を省略することが可能である。
【００１２】
また、収納袋１には第二ベルト部５が設けられている。第二ベルト部５はベルト部分５ａと取り付け具５ｂとを有する。ベルト部分５ａの幅は任意であってよいが５ｍｍ〜２０ｍｍ程度が好ましい。またベルト部分５ａを構成する素材については本実施例では伸縮性を有するゴムを用いたがこれに限定されるものではなく、ナイロン、ポリエステル、ポリプロピレン、綿及びこれらの複合材料等を用いることができる。
第二ベルト部５によって収納袋とザックカバーとは一体化される。具体的には取り付け具５ｂを用いて図２に示したザックカバーの掛け止め部１６に第二ベルト部５を掛け止める。取り付け具５ｂは図１ではボタンを用いたが、面ファスナーやスナップ等、着脱自在とするものであれば特に限定はされない。また取り付け具５ｂを設けずに、ベルト部５ａをザックカバーの掛け止め部１６に直接結びつけるなどの方法で収納袋とザックカバーとを一体化することも可能である。
【００１３】
次に本発明の収納袋とザックカバーの使用方法について説明する。
例えば図３（ａ）では、第一ベルト部を用いてザック本体２０の上部に収納袋１を取り付けている。こうすることで、雨天時などにザックカバーを使用する際には、ザック本体中から収納袋を探して取り出す手間を省略することができる。なおこの場合、図３（ｂ）に示すようにザックカバー１０と収納袋１とは、予め収納袋の第二ベルト部５を用いて一体化しておく。この場合はザックカバー１０上部の掛け止め部１６に収納袋の第二ベルト部５を掛け止めておく。
続いて収納袋１の開口部３を開けてザック本体２０にザックカバーを取り付ける際には、前記のようにザックカバー１０は第二ベルト部５によってザックカバー上部の掛け止め部１６に位置決めされているので、ザックカバー１０を取り出した後ザック本体２０にスムーズに被せることができる。
図４（ａ）及び図４（ｂ）に示すように、ザック本体２０の側部に収納袋１を取り付ける場合は、第二ベルト部５はそれに対応するザックカバー側部の掛け止め部１６と一体化することで、前記の説明と同様にスムーズにザック本体にザックカバーを被せることができる。
図示はしないが、ザック本体の下部に収納袋を取り付ける場合も同様である。
【００１４】
【発明の効果】
以上のように、本発明に係るザックカバーの収納袋は、ザック本体の外側に取り付けられているので、ザック本体中から収納袋探して取り出す手間を省略することができ、またザック本体にザックカバーを取り付ける際には、収納袋の第二ベルト部によってザックカバーは位置決めされているので、ザックカバーを取り出した後ザック本体にスムーズに被せることができる。
【００１５】
【図面の簡単な説明】
【図１】図１は本発明に係る収納袋を示す図である。
【図２】図２は本発明に係る収納袋に収納するザックカバーを示す図である。
【図３】図３は本発明に係る収納袋とザックカバーとの使用状態を示す図である。
【図４】図４は本発明に係る収納袋とザックカバーとの別の使用状態を示す図である。
【符号の説明】
１    収納袋
２    袋本体
３    開口部
４    第一ベルト部
４ａ  ベルト部分
４ｂ  取り付け具
５    第二ベルト部
５ａ  ベルト部分
５ｂ  取り付け具
１０  ザックカバー
１１  口枠周辺
１２  紐通し部
１３  伸縮紐
１４  係止部
１５  掛け止め具
１６  掛け止め部
２０  ザック本体
【図１】
2004275237.tif 000003
【図２】
2004275237.tif 000004
【図３】
2004275237.tif 000005
【図４】
2004275237.tif 000006